(57)【要約】      （修正有）【課題】高出力、低不良率及び優れた長期信頼性を有する太陽電池パネルを提供する。【解決手段】太陽電池パネルは、第１方向に延長される複数の第１電極１４２及び第２電極１４４をそれぞれ含む第１太陽電池１０ａ及び第２太陽電池１０ｂを含む複数の太陽電池と、第１方向と交差する第２方向に延長され、複数の太陽電池を電気的に接続する配線部を含む。配線部が第１太陽電池の複数の第１電極に接続される第１配線２２ａを含む。第１太陽電池の第２方向から第１配線が互いに別の構造を有するが、第１太陽電池の上で第１接続部ＣＰ１により、互いに電気的に接続される複数の第１部分配線２２１ａ、２２２ａを含む。【選択図】図３
2019036733.tif 000002
【特許請求の範囲】
【請求項１】
太陽電池パネルであって、
第１方向に延長される複数の第１電極及び第２電極をそれぞれ備えた第１太陽電池及び第２太陽電池を備える複数の太陽電池と、
前記第１方向と交差する第２方向に延長され、前記複数の太陽電池を電気的に接続する配線部を備えてなり、
前記配線部が前記第１太陽電池の前記複数の第１電極に接続される第１配線を備えてなり、
前記第１太陽電池の前記第２方向から前記第１配線が互いに別の構造を有してなり、前記第１太陽電池の上で第１接続部により、互いに電気的に接続される複数の第１部分の配線を備えてなる、太陽電池パネル。
【請求項２】
前記複数の第１部分の配線が前記第１方向で互いに同じ位置に位置し、
前記第１太陽電池と、前記第２太陽電池に前記第１配線と交差する方向に形成される配線を備えない、請求項１に記載の太陽電池パネル。
【請求項３】
前記複数の第１部分の配線は、前記第１太陽電池内に位置する第１内部配線と、前記第１太陽電池の外部に延長される第１延長配線を備えてなり、
前記第１太陽電池の前記第１配線には、前記第１内部配線が一つ備えられ、前記第１延長配線が一つ備えられ、
前記第１接続部が前記第２方向から前記第１太陽電池の中央部分に位置する、請求項１又は２に記載の太陽電池パネル。
【請求項４】
前記複数の第１部分の配線は、前記第１太陽電池内に位置する第１内部配線と、前記第１太陽電池の外部に延長される第１延長配線を備えてなり、
前記第１方向に見るとき、前記第１太陽電池の前記第１配線と同じ位置に、前記第２太陽電池が、第１配線を備えてなり、
前記第２太陽電池の前記第１配線が前記第２太陽電池の前記第２電極に電気的に接続される、請求項１〜３の何れか一項に記載の太陽電池パネル。
【請求項５】
前記第１太陽電池の前記第１延長配線が前記第２方向に長く延長され前記第２太陽電池の前記第２電極に接続され、
前記第２太陽電池の前記第１配線は、前記第２太陽電池内に位置する第１内部配線と、前記第２太陽電池の外部に延長される第１延長配線を備えてなり、
前記第２太陽電池の前記第１延長配線と前記第２太陽電池の前記第１延長配線が前記第２方向に長く延長される単一の第１共通配線で構成される、請求項４に記載の太陽電池パネル。
【請求項６】
前記第１太陽電池の前記第１延長配線が前記第２方向に長く延長され前記第２太陽電池の前記第２電極に接続され、
前記第２太陽電池の前記第１配線は、前記第２太陽電池内に位置する第１内部配線と、前記第２太陽電池の外部に延長される第１延長配線とを備えてなり、
前記第２太陽電池の前記第１延長配線と前記第２太陽電池の前記第１延長配線が前記第２方向に長く延長される単一の第１共通配線で構成されてなり、
前記第１太陽電池と、前記第２太陽電池は、同じ形状を有するアライメントマークを備えてなり、
前記同じ形状を有するアライメントマークは、前記第１太陽電池と、前記第２太陽電池が互いに別の位置に位置し、又は、前記第１太陽電池と、前記第２太陽電池が原点対称された状態で配置される、請求項１〜５の何れか一項に記載の太陽電池パネル。
【請求項７】
前記第１接続部が前記第１太陽電池に形成され前記複数の第１部分の配線が接続された第１パッド電極で構成されてなり、又は、
前記複数の第１部分の配線が、前記第１接続部で互いに重畳されて電気的に接続される、請求項１〜６の何れか一項に記載の太陽電池パネル。
【請求項８】
前記第１方向で前記第１パッド電極の幅が前記第１配線部分の幅より大きく、前記複数の第１部分の配線が前記第１パッド電極上で互いに離隔して位置し、又は、
前記第１太陽電池が、半導体基板と、前記半導体基板に形成される前記第１電極と前記第２電極を備えてなり、
前記第１パッド電極が前記半導体基板と離隔されるフローティング電極で構成される、請求項７に記載の太陽電池パネル。
【請求項９】
前記第１接続部から前記複数の第１部分の配線を固定する固定部材を更に備えてなり、
前記固定部材が絶縁性テープで構成される、請求項１〜８の何れか一項に記載の太陽電池パネル。
【請求項１０】
前記配線部が前記第１太陽電池の前記複数の第２電極に接続される第２配線を備えてなり、
前記第１太陽電池の前記第２方向で前記第２配線が互いに別の構造を有してなり、前記第１太陽電池の上で第２接続部によって互いに電気的に接続される複数の第２部分の配線を備えてなり、
前記第１太陽電池において、前記複数の第２部分の配線は、前記第１太陽電池内に位置する第２内部配線と、前記第１太陽電池の外部に延長される第２延長配線を備えてなり、
前記第１方向で前記第１延長配線と前記第２内部配線が互いに交互して位置し、又は、前記第２延長配線と前記第１内部配線が互いに交互して位置する、請求項１〜９の何れか一項に記載の太陽電池パネル。
【発明の詳細な説明】
【技術分野】
【０００１】
本発明は、太陽電池パネルに関し、さらに詳細には、構造を改善した太陽電池パネルに関する。
〔関連技術〕
本発明は、韓国特許出願第１０−２０１７−０１０５５５９号（出願日：２０１７年８月２１日）に基づくパリ条約４条の優先権主張を伴ったものであり、当該韓国特許出願に開示された内容に基づくものである。参考のために、当該韓国特許出願の明細書及び図面の内容は本願明細書の一部に包摂されるものである。
【背景技術】
【０００２】
最近石油や石炭のような既存エネルギー資源の枯渇が予測されながらこれらを取り替える代替エネルギーに対する関心が高くなり続いている。その中でも、太陽電池は、太陽光エネルギーを電気エネルギーに変換させる次世代電池として脚光を浴びている。
【０００３】
このような太陽電池は、複数個が配線によって直列または並列に接続され、複数の太陽電池を保護するためのパッケージング（ｐａｃｋａｇｉｎｇ）工程によって太陽電池パネルの形態で製造される。太陽電池パネルは、様々な環境で長期間発展をしなければならなので、長期信頼性が大きく要求される。ところで、温度の変化等により、複数の太陽電池を接続する配線の膨張と収縮が繰り返されると、付着力が弱い部分で配線が分離される問題が発生することができる。これにより、太陽電池パネルの出力が低下して不良率が高く、長期信頼性に優れないことがある。
【発明の概要】
【発明が解決しようとする課題】
【０００４】
本発明の目的は、高出力、低不良率及び優れた長期信頼性を有する太陽電池パネルを提供することにある。
【課題を解決するための手段】
【０００５】
本発明は、その一の態様として以下の〔発明〕を提案する。
〔１〕
太陽電池パネルであって、
第１方向に延長される複数の第１電極及び第２電極をそれぞれ備えた第１太陽電池及び第２太陽電池を備える複数の太陽電池と、
前記第１方向と交差する第２方向に延長され、前記複数の太陽電池を電気的に接続する配線部を備えてなり、
前記配線部が前記第１太陽電池の前記複数の第１電極に接続される第１配線を備えてなり、
前記第１太陽電池の前記第２方向から前記第１配線が互いに別の構造を有してなり、前記第１太陽電池の上で第１接続部により、互いに電気的に接続される複数の第１部分の配線を備えてなる、太陽電池パネル。
〔２〕
前記複数の第１部分の配線が前記第１方向で互いに同じ位置に位置し、
前記第１太陽電池と、前記第２太陽電池に前記第１配線と交差する方向に形成される配線を備えない、〔１〕に記載の太陽電池パネル。
〔３〕
前記複数の第１部分の配線は、前記第１太陽電池内に位置する第１内部配線と、前記第１太陽電池の外部に延長される第１延長配線を備えてなり、
前記第１太陽電池の前記第１配線には、前記第１内部配線が一つ備えられ、前記第１延長配線が一つ備えられ、
前記第１接続部が前記第２方向から前記第１太陽電池の中央部分に位置する、〔１〕又は〔２〕に記載の太陽電池パネル。
〔４〕
前記複数の第１部分の配線は、前記第１太陽電池内に位置する第１内部配線と、前記第１太陽電池の外部に延長される第１延長配線を備えてなり、
前記第１方向に見るとき、前記第１太陽電池の前記第１配線と同じ位置に、前記第２太陽電池が、第１配線を備えてなり、
前記第２太陽電池の前記第１配線が前記第２太陽電池の前記第２電極に電気的に接続される、〔１〕〜〔３〕の何れか一項に記載の太陽電池パネル。
〔５〕
前記第１太陽電池の前記第１延長配線が前記第２方向に長く延長され前記第２太陽電池の前記第２電極に接続され、
前記第２太陽電池の前記第１配線は、前記第２太陽電池内に位置する第１内部配線と、前記第２太陽電池の外部に延長される第１延長配線を備えてなり、
前記第２太陽電池の前記第１延長配線と前記第２太陽電池の前記第１延長配線が前記第２方向に長く延長される単一の第１共通配線で構成される、〔４〕に記載の太陽電池パネル。
〔６〕
前記第１太陽電池の前記第１延長配線が前記第２方向に長く延長され前記第２太陽電池の前記第２電極に接続され、
前記第２太陽電池の前記第１配線は、前記第２太陽電池内に位置する第１内部配線と、前記第２太陽電池の外部に延長される第１延長配線とを備えてなり、
前記第２太陽電池の前記第１延長配線と前記第２太陽電池の前記第１延長配線が前記第２方向に長く延長される単一の第１共通配線で構成されてなり、
前記第１太陽電池と、前記第２太陽電池は、同じ形状を有するアライメントマークを備えてなり、
前記同じ形状を有するアライメントマークは、前記第１太陽電池と、前記第２太陽電池が互いに別の位置に位置し、又は、前記第１太陽電池と、前記第２太陽電池が原点対称された状態で配置される、〔１〕〜〔５〕の何れか一項に記載の太陽電池パネル。
〔７〕
前記第１接続部が前記第１太陽電池に形成され前記複数の第１部分の配線が接続された第１パッド電極で構成されてなり、又は、
前記複数の第１部分の配線が、前記第１接続部で互いに重畳されて電気的に接続される、〔１〕〜〔６〕の何れか一項に記載の太陽電池パネル。
〔８〕
前記第１方向で前記第１パッド電極の幅が前記第１配線部分の幅より大きく、前記複数の第１部分の配線が前記第１パッド電極上で互いに離隔して位置し、又は、
前記第１太陽電池が、半導体基板と、前記半導体基板に形成される前記第１電極と前記第２電極を備えてなり、
前記第１パッド電極が前記半導体基板と離隔されるフローティング電極で構成される、〔７〕に記載の太陽電池パネル。
〔９〕
前記第１接続部から前記複数の第１部分の配線を固定する固定部材を更に備えてなり、
前記固定部材が絶縁性テープで構成される、〔１〕〜〔８〕の何れか一項に記載の太陽電池パネル。
〔１０〕
前記配線部が前記第１太陽電池の前記複数の第２電極に接続される第２配線を備えてなり、
前記第１太陽電池の前記第２方向で前記第２配線が互いに別の構造を有してなり、前記第１太陽電池の上で第２接続部によって互いに電気的に接続される複数の第２部分の配線を備えてなり、
前記第１太陽電池において、前記複数の第２部分の配線は、前記第１太陽電池内に位置する第２内部配線と、前記第１太陽電池の外部に延長される第２延長配線を備えてなり、
前記第１方向で前記第１延長配線と前記第２内部配線が互いに交互して位置し、又は、前記第２延長配線と前記第１内部配線が互いに交互して位置する、〔１〕〜〔９〕の何れか一項に記載の太陽電池パネル。
〔本発明の一の態様〕
本発明の実施の形態に係る太陽電池パネルは、第１方向に延長される複数の第１及び第２電極をそれぞれ含む第１及び第２太陽電池を含む複数の太陽電池と、前記第１方向と交差する第２方向に延長され、前記複数の太陽電池を電気的に接続する配線部を含む。前記配線部が前記第１太陽電池の前記複数の第１電極に接続される第１配線を含む。前記第１太陽電池の前記第２方向で前記第１配線が互いに別の構造を有するが、前記第１太陽電池の上で第１接続部により、互いに電気的に接続される複数の第１部分の配線を含む。
【発明の効果】
【０００６】
本実施の形態に係ると、相対的に短い長さを有する複数の部分配線で構成された配線材を使用して、太陽電池パネルの出力の低下及び不良を防止することができ、長期信頼性を向上することができる。そして隣接した第１及び第２太陽電池の電極及び接続部の配置を互いに異なるようにすることにより、互いに異なる極性の電極を接続する配線材の構造を単純化することができる。特に、隣接する第１及び第２太陽電池において、互いに異なる電極を共通配線で一緒に接続すると、接続構造を単純化し、第１及び第２太陽電池との間の間隔を短くすることができる。これによれば、太陽電池パネルの効率を大幅に向上することができる。
【図面の簡単な説明】
【０００７】
【図１】本発明の実施の形態に係る太陽電池パネルを概略的に示す分解斜視図である。
【図２】図１に示した太陽電池パネルに含まれた太陽電池の一例を示す断面図である。
【図３】図１に示した太陽電池パネルに含まれた２つの太陽電池、配線材、絶縁部材及びの接続部材を概略的に示した後面平面図である。
【図４】図３のＩＶ−ＩＶ線に沿った太陽電池パネルの断面図である。
【図５】本発明の他の実施の形態に係る太陽電池パネルの概略的な部分後面平面図である。
【図６】本発明のまた他の実施の形態に係る太陽電池パネルの部分断面図である。
【図７】本発明のまた他の実施の形態に係る太陽電池パネルに含まれた２つの太陽電池、配線材、絶縁部材及び接続部材を概略的に示した後面平面図である。
【図８】図７のＶＩＩＩ−ＶＩＩＩ線に沿った太陽電池パネルの断面図である。
【図９】本発明の一変形例に係る太陽電池パネルの断面図である。
【図１０】本発明のまた他の実施の形態に係る太陽電池パネルに含まれた２つの太陽電池、配線材、絶縁部材及び接続部材を概略的に示した後面平面図である。
【発明を実施するための形態】
【０００８】
以下においては、添付した図面を参照して、本発明の実施の形態を詳細に説明する。しかし、本発明は、このような実施の形態に限定されるものではなく、様々な形態に変形することができることはもちろんである。
【０００９】
図では、本発明を明確かつ簡略に説明するために説明と関係ない部分の図示を省略し、明細書全体を通じて同一または極めて類似の部分に対しては、同一の図面参照符号を使用する。そして、図面では、説明をさらに明確にするために厚さ、広さなどを拡大または縮小して示したところ、本発明の厚さ、広さなどは図面に示されたところに限定されない。
【００１０】
そして、明細書全体においてどのような部分が他の部分を“含む（備える）”とするとき、特に反対される記載がない限り、他の部分を排除するものではなく、他の部分をさらに含むことができる。また、層、膜、領域、板などの部分が他の部分“上に”あるとする時、これは他の部分“真上に”ある場合だけでなく、その中間に他の部分が位置する場合も含む。層、膜、領域、板などの部分が他の部分“真上に”あるとするときは、中間に他の部分が位置しないことを意味する。そして「第１」、「第２」などの表現は、互いの間の区別をするために使用したものだけであり、本発明がこれに限定されるものではない。
【００１１】
以下、添付した図面を参考にして本発明の実施の形態に係る太陽電池パネルを詳細に説明する。
【００１２】
図１は、本発明の一実施の形態に係る太陽電池パネルを概略的に示す分解斜視図であり、図２は、図１に示した太陽電池パネルに含まれた太陽電池の一例を示す断面図である。参照として、図２は図３のＩＩ−ＩＩ線に沿った太陽電池の断面図である。
【００１３】
図１及び図２を参照すると、本実施の形態に係る太陽電池パネル１００は、複数の太陽電池１０と、複数の太陽電池１０を電気的に接続する配線部２０を含む。そして、太陽電池パネル１００は、太陽電池１０と配線部２０を囲んで密封するシール材４４と、シール材４４の上で太陽電池１０の前面に位置する前面部材４２ａと、シール材４４の上で太陽電池１０の後面に位置する後面部材４２ｂを含む。これをさらに詳細に説明する。このとき、太陽電池１０は、半導体基板１１０と、半導体基板１１０の一面（一例として、後面）に位置する第１及び第２電極（１４２、１４４）を含むことができる。これについては今後図２を参照して、詳細に説明する。
【００１４】
本実施の形態において、太陽電池パネル１００は、複数の太陽電池１０を備え、複数の太陽電池１０は、配線部２０によって電気的に直列、並列または直並列に接続ことができる。
【００１５】
具体的に、配線部２０は、少なくとも一部が各太陽電池１０の第１及び第２電極（１４２、１４４）と重畳されて、第１及び第２電極（１４２、１４４）に接続される配線材２２を含むことができる。配線材２２によって、複数の太陽電池１０が一方向（図のｘ軸方向）に接続されて一つの列（つまり、太陽電池ストリング）を形成することができる。そして、配線部２０は、太陽電池ストリングの両端に位置し、これをまた他の太陽電池ストリングまたはジャンクションボックス（図示せず）に接続するバスバー配線２６をさらに含むことができる。
【００１６】
配線材２２またはバスバー配線２６は、それぞれ導電性物質（一例として、金属物質）を含むことができる。一例として、配線材２２またはバスバー配線２６が、金（Ａｕ）、銀（Ａｇ）、銅（Ｃｕ）またはアルミニウム（Ａｌ）の内、いずれか一つを含む導電性コアと、コアの表面上に位置し、スズ（Ｓｎ）またはスズ（Ｓｎ）を含む合金を含む導電性コーティング層を含むことができる。一例として、コアは、銅（Ｃｕ）で形成されることができ、導電性コーティング層は、スズ（Ｓｎ）を含む合金であるＳｎＢｉＡｇで形成されることができる。しかし、本発明がこれに限定されるものではなく、配線材２２またはバスバー配線２６の物質、形状、接続構造などは多様に変形することができる。
【００１７】
シール材４４は、配線部２０によって接続された太陽電池１０の前面に位置する第１シール材４４ａと、太陽電池１０の後面に位置する第２シール材４４ｂを含むことができる。第１シール材４４ａと第２シール材４４ｂは、水分と酸素の流入を防止し、太陽電池パネル１００の各要素を化学的に結合する。第１及び第２シール材４４ａ、４４ｂは、透光性及び接着性を有する絶縁物質で構成されることができる。一例として、第１シール材４４ａと第２シール材４４ｂでエチレン酢酸ビニル共重合体樹脂（ＥＶＡ）、ポリビニルブチラール、ケイ素樹脂、エステル系樹脂、オレフィン系樹脂などが使用されることができる。第１及び第２シール材４４ａ、４４ｂを用いたラミネート工程等により、後面部材４２ｂ、第２シール材４４ｂ、太陽電池１０、配線部２０、第１シール材４４ａ、前面部材４２ａが一体化されて、太陽電池パネル１００を構成することができる。
【００１８】
前面部材４２ａは、第１シール材４４ａ上に位置して太陽電池パネル１００の前面を構成し、後面部材４２ｂは、第２シール材４４ｂ上に位置して太陽電池パネル１００の後面を構成する。前面部材４２ａと後面部材４２ｂは、それぞれ、外部の衝撃、湿気、紫外線などから太陽電池１０を保護することができる絶縁物質で構成されることができる。そして、前面部材４２ａは、光が透過することができる透光性物質で構成され、後面部材４２ｂは、透光性物質、非透光性物質、または反射物質などで構成されるシートで構成されることができる。一例として、前面部材４２ａが、ガラス基板などで構成することができ、後面部材４２ｂがフィルムまたはシートなどで構成されることができる。後面部材４２ｂは、ＴＰＴ（Ｔｅｄｌａｒ／ＰＥＴ／Ｔｅｄｌａｒ）タイプを有するか、またはベースフィルム（例えば、ポリエチレンテレフタレート（ＰＥＴ））の少なくとも一面に形成されたポリフッ化ビニリデン（ｐｏｌｙ  ｖｉｎｙｌｉｄｅｎｅ  ｆｌｕｏｒｉｄｅ；ＰＶＤＦ）樹脂層を含むことができる。
【００１９】
しかし、本発明がこれに限定されるものではない。したがって、第１及び第２シール材（４４ａ、４４ｂ）、前面部材４２ａ、または後面部材４２ｂが、前述した説明以外の様々な物質を含むことがあり、様々な形態を有することができる。例えば、前面部材４２ａまたは後面部材４２ｂが、様々な形態（例えば、基板、フィルム、シートなど）または物質を有することができる。
【００２０】
図２を参照して、本発明の実施の形態に係る太陽電池パネル１００に含まれる太陽電池１０の一例をさらに詳細に説明する。
【００２１】
図２を参照すると、本実施の形態に係る太陽電池１０は、半導体基板１１０を含む光電変換部と、光電変換部に接続される第１及び第２電極（１４２、１４４）を含む。ここで、第１及び第２電極（１４２、１４４）は、互いに平行に形成された部分を含むことができるが、本実施の形態においては、互いに反対の極性のキャリアを収集する第１電極１４２及び第２電極１４４が光電変換部の一面（一例として、後面）に一緒に位置しながら互いに平行に形成されることができる。このように、太陽電池１０が後面電極構造を有することができる。
【００２２】
本実施の形態において光電変換部は、半導体基板１１０と、半導体基板１１０に、または半導体基板１１０上に位置する導電型領域（１３２、１３４）を含むことができる。本実施の形態においては、互いに反対の極性のキャリアに関与する第１導電型領域１３２と第２導電型領域１３４が、半導体基板１１０の一面（一例として、後面）側に一緒に位置することができる。このとき、第１及び第２導電型領域（１３２、１３４）が制御パッシベーション膜１２０を間に置いて、半導体基板１１０とは別に位置したことを例示した。
【００２３】
一例として、半導体基板１１０は、第２導電型ドーパントを含む結晶質半導体（例えば、単結晶または多結晶半導体、一例として、単結晶または多結晶シリコンウェハ、特に単結晶シリコンウエハ）で構成されたベース領域１１２を含むことができる。このように結晶性が高く、欠陥の少ないベース領域１１２または半導体基板１１０をベースとした太陽電池１０は、電気的特性が優れる。半導体基板１１０の前面には、ベース領域１１２と同じ導電型を有し、ベース領域１１２より高いドーピング濃度を有する前面電界領域１１４が位置することができる。そして、半導体基板１１０の前面には、反射を防止するための反射防止構造（一例として、半導体基板１１０の１１１面で構成されたピラミッド形状のテクスチャリング構造）を備えることができ、半導体基板１１０の後面は、鏡面研磨された面で構成されて、前面より表面粗さが小さいことができる。しかし、本発明がこれに限定されるものではなく、様々な変形が可能である。
【００２４】
制御パッシベーション膜１２０は、酸化膜、シリコンを含む誘電膜または絶縁膜、窒化酸化膜、炭化酸化膜などで成り得る。一例として、制御パッシベーション膜１２０がシリコン酸化膜で有り得る。
【００２５】
第１及び第２導電型領域（１３２、１３４）は、非晶質半導体、微結晶半導体、または多結晶半導体（一例として、非晶質シリコン、微結晶シリコン、または多結晶シリコン）などに第１または第２導電型ドーパントがドーピングされて形成されることができる。特に、第１及び第２導電型領域（１３２、１３４）が多結晶半導体を有すると、高いキャリア移動度を有することができる。例えば、第１または第２導電型ドーパントがｐ型である場合には、ボロン（Ｂ）、アルミニウム（Ａｌ）、ガリウム（Ｇａ）、インジウム（Ｉｎ）などの３族元素を使用することができる。第１または第２導電型ドーパントがｎ型である場合には、りん（Ｐ）、ヒ素（Ａｓ）、ビスマス（Ｂｉ）、アンチモン（Ｓｂ）などの５族元素を使用することができる。一例として、第１及び第２導電型ドーパントの内、一つがボロン（Ｂ）であり、他の一つは、りん（Ｐ）で有り得る。
【００２６】
このとき、第１導電型領域１３２の面積（一例として、幅）が第２導電型領域１３４の面積（一例として、幅）より大きくなることができる。これによれば、エミッタ領域で機能する第１導電型領域１３２が後面電界領域で機能する第２導電型領域１３４より広い面積を有してて光電変換に有利で有り得る。本実施の形態では、第１及び第２導電型領域（１３２、１３４）が同じ平面に位置する半導体層１３０に一緒に位置し、第１及び第２導電型領域（１３２、１３４）の間にドーピングされない真性半導体で構成されたバリア領域１３６が備えられることができる。
【００２７】
しかし、本発明がこれに限定されるものではない。したがって制御パッシベーション膜１２０を備えないことがある。または、第１及び第２導電型領域（１３２、１３４）の内、少なくとも一つが、半導体基板１１０の一部にドーパントがドーピングされて形成され半導体基板１１０の一部を構成するドーピング領域で構成することもできる。そしてバリア領域１３６を備えないか、バリア領域１３６が、半導体物質意外の他の物質または空の空間で構成されることができる。その他の様々な変形が可能である。
【００２８】
そして、半導体基板１１０の前面上（さらに正確には、半導体基板１１０の前面に形成された前面電界領域１１４の上）に、前面パッシベーション膜１２４及び／又は反射防止膜１２６が全体的に位置することができる。後面パッシベーション膜１４０が、コンタクトホール１４０ａを除外し、半導体層１３０の後面の上に全体的に位置することができる。一例として、前面パッシベーション膜１２４、反射防止膜１２６または後面パッシベーション膜１４０は、シリコン窒化膜、水素を含むシリコン窒化膜、シリコン酸化膜、シリコン酸化窒化膜、アルミニウム酸化膜、シリコン炭化膜、ＭｇＦ2、ＺｎＳ、ＴｉＯ2とＣｅＯ2からなる群から選択されたいずれか１つの単一膜または２つ以上の膜を組み合わせた多層膜構造を有することができる。
【００２９】
そして、第１電極１４２は、コンタクトホール１４０ａを介して第１導電型領域１３２に電気的に接続（一例として、接触）され、第２電極１４４がコンタクトホール１４０ａを介して第２導電型領域１３４に電気的に接続（一例として、接触）することができる。第１電極１４２及び第２電極１４４は、伝導性物質（一例として、金属）で構成されることができる。本実施の形態において、太陽電池１０は、パッド電極（２２４ａ、図３の参照符号２２４ｂ）をさらに含むことができるが、これについては今後の図３及び図４を参照してさらに詳細に説明する。
【００３０】
このような太陽電池１０は、配線材２２を含む配線部２０によって、他の太陽電池１０と電気的に接続される。以下においては、図３及び図４を参照して、太陽電池１０と配線部２０の構造をさらに詳細に説明する。
【００３１】
図３は、図１に示した太陽電池パネル１００に含まれる２つの太陽電池１０、配線材２２、絶縁部材３４及び接続部材３２を概略的に示した後面平面図であり、図４は、図３のＩＶ−ＩＶ線に沿った太陽電池パネル１００の断面図である。明確な区別のために以下では、互いに隣接する二つの太陽電池１０を第１太陽電池１０ａ及び第２太陽電池１０ｂと称する。
【００３２】
図１〜図４を参照すると、第１太陽電池１０ａの第１電極１４２と第２太陽電池１０ｂの第２電極１４４は、複数個の配線材２２によって接続することができる。
【００３３】
さらに具体的に、第１及び第２太陽電池（１０ａ、１０ｂ）のそれぞれにおいて、第１電極１４２は、第１方向（図面のｙ軸方向）に長く続く複数の第１電極１４２を含み、第２電極１４４は、第１方向に長く続く複数の第２電極１４４を含む。そして、第１方向と交差する第２方向（図面のｘ軸方向）で、第１電極１４２と第２電極１４４が互いに交互して位置することができる。
【００３４】
このとき、第１及び第２導電型領域（１３２、１３４）は、それぞれ、第１電極１４２及び第２電極１４４に対応する形状を有することができる。これにより、第１導電型領域１３２が、複数の第１電極１４２に対応するように、第１方向に長く続く複数の部分を備えることができる。そして第２導電型領域１３４が、複数の第２電極１４４に対応するように、第１方向に長く続く複数の部分を備えることができる。ただし、第１及び第２導電型領域（１３２、１３４）が、第１及び第２電極（１４２、１４４）より大きい幅を有することができる。そして、第１導電型領域１３２と第２導電型領域１３４との間には、バリア領域１３６が位置することができる。しかし、本発明がこれに限定されるものではなく、第１及び第２導電型領域（１３２、１３４）が、第１及び第２電極（１４２、１４４）と、他の形状を有することもできる。
【００３５】
このとき、各配線材２２は、第１及び第２太陽電池（１０ａ、１０ｂ）のそれぞれにおいて、第１及び第２電極（１４２、１４４）の内、いずれか一つに接続される第１配線２２ａと第１及び第２電極（１４２、１４４）の内、いずれか一つに接続される第２配線２２ｂを含むことができる。
【００３６】
本明細書においては、第１及び第２太陽電池（１０ａ、１０ｂ）において第１方向で同じ位置（一例として、第１位置（Ｐ１））に位置する配線材２２を第１配線２２ａとし、第１方向で第１位置（Ｐ１）と、別の位置（一例として、第２位置（Ｐ２））に位置する配線材２２を第２配線２２ｂに称することができる。各太陽電池１０からの第１及び第２配線（２２ａ、２２ｂ）の内、いずれか一つが、各太陽電池１０に備えられた第１電極１４２に接続部材３２を介して電気的に接続され、第２電極１４４に絶縁部材３４を介して絶縁され、第１及び第２配線（２２ａ、２２ｂ）の内、他の一つが第２電極１４４と接続部材３２を介して電気的に接続され、第１電極１４２に絶縁部材３４によって絶縁されることができる。そして、各太陽電池１０において第１方向で見るとき、複数の第１配線２２ａと、複数の第２配線２２ｂが互いに交互して位置することができる。それでは、複数の第１及び第２配線（２２ａ、２２ｂ）が均一な間隔を有しながら、第１及び第２電極（１４２、１４４）に接続され、キャリアを効果的に伝達することができる。
【００３７】
接続部材３２は、様々な導電性物質を含み、絶縁部材３４は、様々な絶縁物質を含むことができる。例えば、接続部材３２は、第１及び第２電極（１４２、１４４）、及び／または配線材２２に含まれる物質を含む物質、またはこれらの混合物で形成することができる。一例として、接続部材３２は、配線材２２を第１または第２電極（１４２、１４４）の上に置いて熱を加える工程等により第１及び第２電極（１４２、１４４）、及び／又は配線材２２の物質を含むことができる。または、接続部材３２がソルダーペースト層、エポキシソルダーペースト層などを含むことができる。一例として、接続部材３２が低温ソルダーペースト層と高温ソルダーペースト層を一緒に含むことができる。そして絶縁部材３４は、シリコン系樹脂、エポキシ系樹脂、ウレタン系樹脂、アクリル系樹脂、ポリイミド、ポリエチレンなどを含むことができる。
【００３８】
本実施の形態において、第１太陽電池１０ａから第１配線２２ａが複数の第１電極１４２に重畳されて、これらと接続されるように第２方向に長く続きながら形成することができる。そして、第１太陽電池１０ａから第２配線２２ｂが複数の第２電極１４４に重畳されて、これらと接続されるように第２方向に長く続きながら形成することができる。このとき、第１太陽電池１０ａから第１配線２２ａは、第２方向での第１太陽電池１０ａの一側（図３及び図４の右側）に延長され、第１太陽電池１０ａの一側（図３及び図４の右側）に位置した第２太陽電池１０ｂに電気的に接続され、第２配線２２ｂは、第２方向での第１太陽電池１０ａの他側（図３及び図４の左側）に延長され、第１太陽電池１０ａの他側（図３及び図４の左側）に位置した太陽電池１０（すなわち、第３太陽電池）に電気的に接続することができる。
【００３９】
これにより、第１太陽電池１０ａにおいて、第１配線２２ａと、複数の第１電極１４２が重畳された部分で、これらの間に接続部材３２が位置し、第１配線２２ａと、複数の第２電極１４４が、重畳される部分で、これらの間に絶縁部材３４が位置することができる。そして、第１太陽電池１０ａにおいて、第２配線２２ｂと、複数の第２電極１４４が重畳された部分において、これらの間に接続部材３２が位置し、第２配線２２ｂと、複数の第１電極１４２が、重畳される部分で、これらの間に絶縁部材３４が位置することができる。
【００４０】
このとき、第１太陽電池１０ａの第２方向で第１配線２２ａが互いに別の構造を有すが、第１太陽電池１０ａ上で第１接続部（ＣＰ１）によって互いに電気的に接続される複数の第１部分配線（２２１ａ、２２２ａ）を含むことができる。各第１配線２２ａに含まれる複数の第１部分配線（２２１ａ、２２２ａ）は、第１方向で同じ位置に位置して第２方向に延長される形状を有することができる。それでは、第１配線２２ａを構成する第１部分配線（２２１ａ、２２２ａ）それぞれの長さを減らすことができ、第１配線２２ａ又はこれらの構成する第１部分配線（２２１ａ、２２２ａ）の長さが大きいときに発生することができる問題を防止することができる。
【００４１】
これをさらに具体的に説明すると、太陽電池パネル１００が位置した環境で温度が変化すると、配線材２２（すなわち、第１及び第２配線（２２ａ、２２ｂ））の膨張及び収縮が繰り返さされる。このとき、配線材２２の膨張と収縮により配線材２２が、太陽電池１０から分離されたり、配線材２２が損傷したり、破れるなどの問題が発生することができる。このような問題は、配線材２２の長さが大きくなるほどさらに深刻に示されることがある。このような問題が発生すると、太陽電池パネル１００が不良で判別することができ、出力が低下することができる。特に、本実施の形態のように、第１及び第２電極（１４２、１４４）と配線材２２が、太陽電池１０の一面のみに位置する構造では、配線材２２の膨張と収縮による問題がさらに深刻に示されることができる。
【００４２】
これを考慮して、本実施の形態においては、相対的に短い長さを有する複数の第１部分配線（２２１ａ、２２２ａ）で構成された第１配線２２ａを使用して配線材２２の膨張及び収縮による問題を防止することができる。これにより、太陽電池パネル１００の出力の低下及び不良を防止することができ、長期的な信頼性を向上することができる。
【００４３】
ここで、複数の第１部分配線（２２１ａ、２２２ａ）は、第１太陽電池１０ａ内でのみ位置する少なくとも一つの第１内部配線２２１ａと、第１内部配線２２１ａと電気的接続されながら、これから第１太陽電池１０ａの一側（図３及び図４の右側）の外部に延長される第１延長配線２２２ａを含むことができる。
【００４４】
一例として、第１太陽電池１０ａにおいて一つの第１配線２２ａに基づいて見ると、第１内部配線２２１ａが一つ備えられ、第１延長配線２２２ａが一つ備えられ、第１太陽電池１０ａ内に第１内部配線２２１ａと第２延長配線２２２ａが接続される一つの第１接続部（ＣＰ１）が一つ位置することができる。それでは、複数の第１部分配線（２２１ａ、２２２ａ）の数を最小化することができ、第１配線２２ａの付着工程を単純化することができる。しかし、本発明がこれに限定されるものではない。第１太陽電池１０ａにおいて第１内部配線２２１ａが二つ以上備えることができ、この場合に、第１接続部（ＣＰ１）の数は、第１内部配線２２１ａの数と同じで有り得る。この場合に、第１内部配線２２１ａの長さ及び第１接続部（ＣＰ１）の間隔は、互いに均一することもあり、互いに異なることもある。
【００４５】
このとき、第１接続部（ＣＰ１）が第２方向で第１太陽電池１０ａの中央部分に位置することができる。それでは、第１太陽電池１０ａ内で第１内部配線２２１ａと第１延長配線２２２ａが対称的に位置して熱的ストレスによる問題を最小化することができる。しかし、本発明がこれに限定されるものではなく、第１接続部（ＣＰ１）が第１太陽電池１０ａの中央部分ではなく、他の部分に位置することもできる。
【００４６】
図では、複数の第１配線２２ａがそれぞれ複数の第１部分配線（２２１ａ、２２２ａ）を備えることを例示した。これによれば、複数の第１部分配線（２２１ａ、２２２ａ）による効果を最大化することができる。しかし、本発明がこれに限定されるものではなく、複数の第１配線２２ａの内、少なくとも一つだけ複数の第１部分配線（２２１ａ、２２２ａ）を備えることもできる。そして、複数の第１配線２２ａの第１接続部（ＣＰ１）が同じ位置に位置することを例示した。しかし、本発明がこれに限定されるものではなく、第１接続部（ＣＰ１）の位置が互いに異なる少なくとも２つ以上の第１配線２２ａが備えられることができる。
【００４７】
本実施の形態においては、第１接続部（ＣＰ１）が第１太陽電池１０ａに形成された第１パッド電極２２４ａで有リ得る。すなわち、第１パッド電極２２４ａに複数の第１部分配線（２２１ａ、２２２ａ）がそれぞれ電気的に接続されることにより、複数の第１部分配線（２２１ａ、２２２ａ）が互いに電気的に接続することがある。図３及び図４においては、複数の第１部分配線（２２１ａ、２２２ａ）の一部が、第１パッド電極２２４ａと重畳されることを例示した。このとき、図４に示すように、複数の第１部分配線（２２１ａ、２２２ａ）の一部と第１パッド電極２２４ａとの間に接続部材３２が位置して、これらが互いに電気的及び物理的に接続することができる。しかし、本発明がこれに限定されるものではない。したがって、別の接続部材３２なくてはんだ付け工程を用いて、第１部分配線（２２１ａ、２２２ａ）及び／または第１パッド電極２２４ａを溶融して、これらを互に接続することもできる。その他の様々な変形が可能である。
【００４８】
このとき、第１パッド電極２２４ａは、絶縁膜（つまり、後面パッシベーション膜１４０）の上に位置して半導体基板１１０と、第１及び第２導電型領域（１３２、１３４）と離隔されて複数の第１部分配線（２２１ａ、２２２ａ）だけを接続するフローティング電極（ｆｌｏａｔｉｎｇ  ｅｌｅｃｔｒｏｄｅ）で有り得る。これにより、第１及び第２導電型領域（１３２、１３４）の設計を変形することなく、所望しないシャントなどの問題を効果的に防止することができる。しかし、本発明がこれに限定されるものではなく、第１パッド電極２２４ａが絶縁膜を貫通して第１導電型領域１３２に接続することもできる。それでは、第１パッド電極２２４ａを第１電極１４２と一緒に形成して工程を単純化することができる。または、第１パッド電極２２４ａが第１電極１４２から延長されて形成された電極で有り得る。その他の様々な変形が可能である。
【００４９】
第１パッド電極２２４ａは、伝導性を有する様々な物質（一例として、金属）で構成されることができる。第１パッド電極２２４ａは、第１及び／または第２電極（１４２、１４４）と同一の物質で構成されることもあり、互いに異なる物質で構成することもできる。
【００５０】
図では、安定した接続をするために、第１方向での第１パッド電極２２４ａの幅が第１配線２２ａ（すなわち、複数の第１部分配線（２２１ａ、２２２ａ））の幅より大きいことを例示した。そして、第１パッド電極２２４ａの上で複数の第１部分配線（２２１ａ、２２２ａ）が互いに離隔して位置して、複数の第１部分配線（２２１ａ、２２２ａ）の長さを最小化することができる。しかし、本発明がこれに限定されるものではない。したがって、第１方向での第１パッド電極２２４ａの幅が第１配線２２ａ（すなわち、複数の第１部分配線（２２１ａ、２２２ａ））の幅と同じか、それより小さいことができる。そして、第１パッド電極２２４ａの上で複数の第１部分配線（２２１ａ、２２２ａ）が互いに接続されたり、互いに重畳することができる。その他の様々な変形が可能である。
【００５１】
これと類似に、第１太陽電池１０ａの第２方向で第２配線（２２ａ）が互いに別の構造を有するが、第１太陽電池１０ａ上で第２接続部（ＣＰ２）によって互いに電気的に接続される複数の第２部分配線（２２１ｂ、２２２ｂ）を含むことができる。各第２配線２２ｂに含まれる複数の第２部分配線（２２１ｂ、２２２ｂ）は、第１方向で同じ位置に位置して第２方向に延長される形状を有することができる。それでは、第２配線２２ｂを構成する第２部分配線（２２１ｂ、２２２ｂ）の長さを減らすことができ、第２配線２２ｂまたはこれを構成する第２部分配線（２２１ｂ、２２２ｂ）の長さが大きいとき発生することができる問題を防止することができる。これにより、太陽電池パネル１００の出力の低下及び不良を防止することができ、長期的な信頼性を向上することができる。
【００５２】
ここで、複数の第２部分配線（２２１ｂ、２２２ｂ）は、第１太陽電池１０ａ内でのみ位置する少なくとも一つの第２内部配線２２１ｂと、第２内部配線２２１ｂと電気的に接続されながら、これから第１太陽電池１０ａの他側（図３及び図４の左側）の外部に延長される第２延長配線２２２ｂを含むことができる。
【００５３】
一例として、第１太陽電池１０ａで一つの第２配線２２ｂに基づいて見ると、第２内部配線２２１ｂが一つ備えられ、第２延長配線２２２ｂが一つ備えられ、第１太陽電池１０ａ内に第２内部配線２２１ｂと第２延長配線２２２ａが接続される一つの第２接続部（ＣＰ２）が一つ位置することができる。しかし、本発明がこれに限定されるものではない。第１太陽電池１０ａで第２内部配線２２１ｂが二つ以上備えることができ、この場合に、第２接続部（ＣＰ２）の数は、第２内部配線２２１ｂの数と同じであることがある。この場合に、第２内部配線２２１ｂの長さ及び第２接続部（ＣＰ２）の間隔は、互いに均一することもあり、互いに異なることもある。
【００５４】
このとき、第２接続部（ＣＰ２）が、第２方向で太陽電池１０ａの中央部分に位置することができる。しかし、本発明がこれに限定されるものではなく、第２接続部（ＣＰ２）が、第１太陽電池１０ａの中央部分ではなく、他の部分に位置することもできる。
【００５５】
図においては、複数の第２配線２２ｂがそれぞれ複数の第２部分配線（２２１ｂ、２２２ｂ）を備えることを例示した。これによれば、複数の第２部分配線（２２１ｂ、２２２ｂ）による効果を最大化することができる。しかし、本発明がこれに限定されるものではなく、複数の第２配線２２ｂの内、少なくとも一つだけ複数の第２部分配線（２２１ｂ、２２２ｂ）を備えることもできる。そして、複数の第２配線２２ｂの第２接続部（ＣＰ２）が同じ位置に位置することを例示した。しかし、本発明がこれに限定されるものではなく、第２接続部（ＣＰ２）の位置が互いに異なる少なくとも２つ以上の第２配線２２ｂが備えられることができる。
【００５６】
本実施の形態においては、第２接続部（ＣＰ２）が、第１太陽電池１０ａに形成された第２パッド電極２２４ｂで有り得る。つまり、第２パッド電極２２４ｂに複数の第２部分配線（２２１ｂ、２２２ｂ）がそれぞれ電気的に接続されることにより、複数の第２部分配線（２２１ｂ、２２２ｂ）が互いに電気的に接続することができる。図３及び図４においては、複数の第２部分配線（２２１ｂ、２２２ｂ）の一部が、第２パッド電極２２４ｂと重畳されることを例示した。これらの間に接続部材３２が位置して、これらが互いに電気的及び物理的に接続することもでき、または別の接続部材３２なくてはんだ付け工程を用いて、第２部分配線（２２１ｂ、２２２ｂ）及び／または第２パッド電極２２４ｂを溶融して、これらを互に接続することもできる。その他の様々な変形が可能である。
【００５７】
このとき、第２パッド電極２２４ｂは、絶縁膜（つまり、後面パッシベーション膜１４０）の上に位置して、第１及び第２導電型領域（１３２、１３４）と離隔され、複数の第２部分配線（２２１ｂ、２２２ｂ）だけを接続するフローティング電極で有り得る。しかし、本発明がこれに限定されるものではなく、第２パッド電極２２４ｂが絶縁膜を貫通して第２導電型領域１３４に接続することもできる。それでは、第２パッド電極２２４ｂを第２電極１４４と一緒に形成して工程を単純化することができる。
【００５８】
第２パッド電極２２４ｂは、伝導性を有する様々な物質（一例として、金属）で構成されることができる。第２パッド電極２２４ｂは、第１及び／または第２電極（１４２、１４４）、それと第１パッド電極２２４ａと同一の物質で構成されることもあり、互いに異なる物質で構成することもできる。
【００５９】
図３においては安定した接続のために、第１方向での第２パッド電極２２４ｂの幅が第２配線２２ｂ（すなわち、複数の第２部分配線（２２１ｂ、２２２ｂ））の幅より大きいことを例示した。そして第２パッド電極２２４ｂの上で、複数の第２部分配線（２２１ｂ、２２２ｂ）が互いに離隔して位置して、複数の第２部分配線（２２１ｂ、２２２ｂ）の長さを最小化することができる。しかし、本発明がこれに限定されるものではない。したがって、第１方向での第２パッド電極２２４ｂの幅が第２配線２２ｂ（すなわち、複数の第２部分配線（２２１ｂ、２２２ｂ））の幅と同じか、それより小さいことができる。そして第２パッド電極２２４ｂの上で、複数の第２部分配線（２２１ｂ、２２２ｂ）が互いに接続されたり、互いに重畳することができる。その他の様々な変形が可能である。
【００６０】
前述したように、第１方向で第１配線２２ａと第２配線２２ｂが交互して位置することができる。さらに具体的には、第２方向での第１太陽電池１０ａの一側（一例として、図３の右側）付近では、第１方向に見るとき、第１延長配線２２２ａと第２内部配線２２１ｂが交互して配置することができ、この他の付近では、第１方向に見るときに、第１内部配線２２１ａと第２延長配線２２２ｂが交互して配置することができる。そして、第１パッド電極４２４ａと第２パッド電極４２４ｂが第１方向に見るとき、互いに交互して位置することができる。これにより、第２方向に見るとき、第１太陽電池１０ａの両側に位置する第２太陽電池１０ｂ及び第３太陽電池を電気的に直列接続することができる。図３では、第１パッド電極４２４ａと第２パッド電極４２４ｂが第２方向から見るとき、互いに同じ位置に位置したことを例示したが、本発明がこれに限定されるものではない。
【００６１】
本実施の形態において、第１太陽電池１０ａの一側に隣接して位置する第２太陽電池１０ｂは、第１及び第２配線（２２ａ、２２ｂ）、第１及び第２電極（１４２、１４４）と、第１及び第２接続部（ＣＰ１、ＣＰ２）の接続構造が第１太陽電池１０ａとは異なることがある。接続構造以外には第１及び第２配線（２２ａ、２２ｂ）、第１及び第２電極（１４２、１４４）、及び第１及び第２接続部（ＣＰ１、ＣＰ２）の前述した説明がそのまま適用されることができる。
【００６２】
さらに具体的に、第２太陽電池１０ｂでは、第１配線２２ａが第２電極１４４に電気的に接続され、第２配線２２ｂが第１電極１４２に電気的に接続される。そして、第１太陽電池１０ａとは逆に、第２太陽電池１０ｂでは、第１内部配線２２１ａが第２太陽電池１０ｂの一側（図３及び図４の右側）に位置し、第１延長配線２２２ａが第２太陽電池１０ｂの他側（図３及び図４の左側）に延長されることができる。第１太陽電池１０ａとは逆に、第２太陽電池１０ｂでは、第２内部配線２２１ｂが第２太陽電池１０ｂの他側に位置し、第２延長配線２２２ｂが第２太陽電池１０ｂの一側に延長されることができる。これにより、第２太陽電池１０ｂの一側（一例として、図３の右側）付近では、第１方向に見るとき、第１内部配線２２１ａと第２延長配線２２２ｂが交互して位置することができ、  これと他の部分では、第１方向に見うとき、第１延長配線２２２ａと第２内部配線２２１ｂが交互して位置することができる。そして第２太陽電池１０ｂの第１方向で第１配線２２ａと第２配線２２ｂが交互して位置するが、第１太陽電池１０ａと反対されるように交互することができる。すなわち、第１方向に見るとき、第１太陽電池１０ａでは、第１接続部（ＣＰ１）、第２接続部（ＣＰ２）の順に繰り返して交互すると、第２太陽電池１０ｂでは、第２接続部（ＣＰ２）、第１接続部（ＣＰ１）の順序が繰り返して交互する。
【００６３】
このように、第１及び第２配線（２２ａ、２２ｂ）のそれぞれが、第１及び第２太陽電池（１０ａ、１０ｂ）で互いに異なる極性の電極（１４２、１４４）を接続すれば、第１太陽電池１０ａの第１配線２２ａと第２太陽電池１０ｂの第１配線２２ａを接続することにより、第１太陽電池１０ａの第１電極１４２と第２太陽電池１０ｂの第２電極１４４を電気的に接続することができる。そして第２太陽電池１０ａの第２配線２２ｂとその他側（図３の左側）に位置する他の太陽電池１０（第３太陽電池）に位置する第２配線２２ｂを接続することにより、第１太陽電池１０ａの第２電極１４４と第３太陽電池１０ｂの第１電極を電気的に接続することができる。そして第２太陽電池１０ａの第２配線２２ｂとその一側（図３の右側）に位置する他の太陽電池１０（第４太陽電池）に位置する第２配線２２ｂを接続することにより、第２太陽電池１０ｂの第１電極１４２と第４太陽電池の第２電極を電気的に接続することができる。つまり、隣接した二つの太陽電池１０から第１方向に同じ第１位置（Ｐ１）に位置する第１配線２２ａを互いに接続し、第１方向に同じ第２位置（Ｐ２）に位置する第２配線２２ｂを互に接続することにより、易しく簡単な構造で、複数の太陽電池１０を電気的に接続することができる。
【００６４】
一例として、第１方向で同じ位置に位置した第１太陽電池１０ａの第１延長配線２２２ａと第２太陽電池１０ｂの第１延長配線２２２ａは、第２方向に長く延長される単一の構造を有する単一の第１共通配線（ＣＷ１）で構成されることができる。このような第１共通配線（ＣＷ１）は、第１太陽電池１０ａの第１接続部（ＣＰ１）から第１太陽電池１０ａと第２太陽電池１０ｂの間を通って第２太陽電池１０ｂの第２接続部（ＣＰ２）まで延長されて形成されることができる。このとき、第１共通配線（ＣＷ１）は、第１太陽電池１０ａでにおいては、第１電極１４２に接続されて第２太陽電池１０ｂにおいては、第２電極１４４に接続される。これによれば、第１及び第２太陽電池（１０ａ、１０ｂ）から見るとき、複数の第１部分配線（２２１ａ、２２２ａ）で構成される第１配線２２ａの総個数を減らすことができ、付着工程を単純化することができる。
【００６５】
これと類似に、第１方向で同じ位置に位置した第１太陽電池１０ａの第２延長配線２２２ｂとこれの他側（図３の左側）に位置する第３太陽電池の第２延長配線２２２ｂは、第２方向に長く延長される単一の構造を有する単一の第２共通配線（ＣＷ２）で構成されることができる。このような第２共通配線（ＣＷ２）は、第１太陽電池１０ａの第２接続部（ＣＰ２）から第１太陽電池１０ａと第３太陽電池の間を通って第３太陽電池の第２接続部まで延長されて形成されることができる。このとき、第２共通配線（ＣＷ２）は、第１太陽電池１０ｂにおいてはは、第２電極１４４に接続され、第３太陽電池では、第１電極に接続される。
【００６６】
これと同様に、第１方向で同じ位置に位置する第２太陽電池１０ｂの第２延長配線２２２ｂとこれの一側（図３の右側）に位置する第４太陽電池の第２延長配線２２２ｂは、第２方向に長く延長される単一の構造を有する単一の第２共通配線（ＣＷ２）で構成されることができる。このような第２共通配線（ＣＷ２）は、第２太陽電池１０ｂの第１接続部（ＣＰ１）から第２太陽電池１０ａと第４太陽電池の間を通って第４太陽電池の第２接続部まで延長されて形成されることができる。このとき、第２共通配線（ＣＷ２）は、第２太陽電池１０ｂにおいては、第１電極１４２に接続され、第４太陽電池では、第２電極に接続される。
【００６７】
反面、太陽電池１０から第１配線がそれぞれ第１電極１４２にのみ接続され第２配線がそれぞれ第２電極１４４のみ接続される場合には、第１方向から別の位置に位置する第１太陽電池１０ａの第１配線と第２太陽電池１０ｂの第２配線を接続するための別途の配線、または構造などが必要である。例えば、第１太陽電池１０ａと第２太陽電池１０ｂの間に第１及び第２配線（２２ａ、２２ｂ）と交差する方向に形成される配線（例えば、図１０の接続配線２４）などが必要である。
【００６８】
実施の形態においては、前述した別の配線、または構造または第１及び第２配線（２２ａ、２２ｂ）と交差する方向に形成される配線等を除去することができ、配線部２０の付着工程、材料コストなどを削減することができる。また、第１太陽電池１０ａと第２太陽電池１０ｂ間の間隔を短くすることができ、太陽電池パネル１００の効率を向上することができる。そして、複数の第１及び第２部分配線（２２１ａ、２２２ａ）（２２１ｂ、２２２ｂ）の端部が太陽電池１０の端から離れて離隔された部分（例えば、中央部分に位置し）、これらが細かく位置した接続部材３２によって固定されるので、複数の第１及び第２部分配線（２２１ａ、２２２ａ）（２２１ｂ、２２２ｂ）の固定安定性が増加することができる。
【００６９】
このとき、本実施の形態においては、同一の太陽電池１０を複数に製造した後、一つはそのまま位置させて、第１太陽電池１０ａとして使用し、それに隣接した他の一つは、１８０度回転させて第２太陽電池１０ｂで使用することができる。すなわち、第１太陽電池１０ａと第２太陽電池１０ｂが原点対称された状態で位置することができる。このような一対の第１及び第２太陽電池（１０ａ、１０ｂ）が繰り返し位置して、複数の太陽電池１０で構成された太陽電池ストリングが形成されることができる。
【００７０】
これにより、同一の形状を有するアラインマーク（５０ａ、５０ｂ）が第１太陽電池１０ａと第２太陽電池１０ｂで互いに別の場所に位置することができる。例えば、第１太陽電池１０ａにおいては、第１アラインマーク５０ａが図３の上部左側に位置し、第２アラインマーク５０ｂが、図３の下部右側に位置するものの、第２太陽電池１０ｂにおいては、第１アラインマーク５０ａが図３の下部右側に位置し、第２アラインマーク１０ａが図３の上部左側に位置することができる。アラインマーク（５０ａ、５０ｂ）によって第１及び第２太陽電池（１０ａ、１０ｂ）の内、いずれか一つはそのまま位置させ、他の一つは、１８０度回転させて配置したことが分かる。それでは、複数の太陽電池１０を同じ工程で製造して適用することができ、第１または第２共通配線（ＣＷ１、ＣＷ２）を適用することができるので、製造工程を単純化することができる。
【００７１】
本実施の形態に係ると、相対的に短い長さを有する複数の部分配線（２２１ａ、２２２ａ）（２２１ｂ、２２２ｂ）で構成された配線材２２を使用して配線材２２の膨張及び収縮による問題を防止することができる。これにより、太陽電池パネル１００の出力の低下や不良を防止することができ、長期的な信頼性を向上することができる。そして隣接した第１及び第２太陽電池（１０ａ、１０ｂ）の電極（１４２、１４４）と接続部（ＣＰ１、ＣＰ２）の配置を互いに異なるようにすることにより、互いに異なる極性の電極（１４２、１４４）を接続する配線材２２の構造を単純化することができる。特に、隣接する第１及び第２太陽電池（１０ａ、１０ｂ）で互いに別の電極（１４２、１４４）を共通配線（ＣＷ１、ＣＷ２）で一緒に接続すると、接続構造を単純化し、第１及び第２太陽電池（１０ａ、１０ｂ）との間の間隔を短くすることができる。これによれば、太陽電池パネル１００の効率を大きく向上することができる。
【００７２】
前述した実施の形態においては、第１及び第２配線（２２ａ、２２ｂ）がそれぞれ複数の部分配線（２２１ａ、２２２ａ）（２２１ｂ、２２２ｂ）を備えることを例示したが、第１及び第２配線（２２ａ、２２ｂ）の内、いずれか一つだけ複数の部分配線（２２１ａ、２２２ａ）（２２１ｂ、２２２ｂ）を備えることもある。
【００７３】
以下においては、本発明の他の実施の形態に係る太陽電池パネルを詳細に説明する。前述した説明と同一又は極めて類似の部分については詳細な説明を省略し、互いに異なる部分についてのみ詳細に説明する。そして、前述した実施の形態またはこれを変形した例と下の実施の形態またはこれを変形した例を、互いに結合したものもまた、本発明の範囲に属する。
【００７４】
図５は本発明の他の実施の形態に係る太陽電池パネルの概略的な部分後面平面図である。参照として図５には、図３の拡大部分に対応する部分を示した。
【００７５】
図５を参照すると、本実施の形態においては、第１パッド電極２２４ａと、隣接する第１内部配線２２１ａの端部付近で、第１パッド電極２２４ａと離隔された部分に補助接続部材３２ａがさらに備えられて第１内部配線２２１ａの付着力をさらに向上させることができる。補助接続部材３２ａは、第１及び第２電極（１４２、１４４）が形成されていない部分で絶縁膜（つまり、後面パッシベーション膜１４０）の上に位置する接続部材として、接続部材３２と同一の物質で構成されることもあり、互いに異なる物質で構成することもできる。
【００７６】
そして、第１延長配線２２２ａの端部付近に位置する第１電極１４２の上に位置する接続部材３２によって、第１延長配線２２２ａの端部付近で、第１パッド電極２２４ａと離隔された部分が接続され、第１延長配線２２２ａの付着力をさらに向上することができる。このとき、第１電極１４２の上に位置する接続部材３２をそのまま利用して、第１延長配線２２２ａのための別の補助接続部材３２ａを形成しないため、材料コストを削減し、工程を単純化することができている。しかし、本発明がこれに限定されるものではない。したがって、第１延長配線２２２ａの端部に補助接続部材３２ａがさらに位置することができる。または、第１内部配線２２１ａの端部に接続部材３２が位置し、第１延長配線２２２ａの端部に補助接続部材３２ａが位置することもできる。その他の様々な変形が可能である。
【００７７】
このように、第１パッド電極２２４ａと離隔されながら、これに隣接する複数の第１部分配線（２２１ａ、２２２ａ）の端部に接続部材３２または補助接続部材３２ａがそれぞれ位置して、複数の第１部分配線（２２１ａ、２２２ａ）の付着力を向上させることができる。
【００７８】
これと類似に、第２パッド電極２２４ｂと離隔されながら、これに隣接する複数の第２部分配線（２２１ｂ、２２２ｂ）の端部に接続部材３２または補助接続部材３２ａがそれぞれ位置して、複数の第２部分配線（２２１ｂ、２２２ｂ）の付着力を向上することができる。図では、第２方向での第１パッド電極２２４ａの位置と第２パッド電極２２４ｂの位置を互いに異なるようにし、複数の第１部分配線（２２１ａ、２２２ａ）または複数の第１部分配線（２２１ｂ、２２２ｂ）の内、少なくとも一つの端部を接続部材３２に接続して、補助接続部材３２ａの数を最小化したことを例示した。しかし、本発明がこれに限定されるものではない。
【００７９】
図６は、本発明のまた他の実施の形態に係る太陽電池パネルの部分断面図である。参照として、図６には、図４に対応する部分を示した。
【００８０】
図６を参照すると、本実施の形態においては、第１配線２２ａを構成する複数の第１部分配線（２２１ａ、２２２ａ）が第１接続部（ＣＰ１）で互いに重畳される第１重畳部分２２６ａを備え、互いに電気的に接続することができる。例えば、複数の第１部分配線（２２１ａ、２２２ａ）が第１接続部（ＣＰ１）を構成する第１重畳部分２２６ａから、互いに接触して電気的及び物理的に接続することができる。図示しなかったが、これと類似に、第２配線を構成する複数の第２部分配線が第２接続部を構成する第２重畳部分で互いに重畳（一例として、互いに接触）して、互いに電気的に接続することができる。このように、複数の第１部分配線（２２１ａ、２２２ａ）または複数の第２部分の配線を互いに重畳させることによって接続すると、これらを接続するための別の構造、部材などが不要なため、構造及び工程を単純化することができる。
【００８１】
または、第１重畳部分２２６ａ又は第２重畳部分で複数の第１部分配線（２２１ａ、２２２ａ）または複数の第２部分配線の間にこれらを接着する別の接着層、接着物質などが位置することもある。
【００８２】
図７は、本発明のまた他の実施の形態に係る太陽電池パネルに含まれる２つの太陽電池、配線材、絶縁部材及び接続部材を概略的に示す後面平面図であり、図８は、図７のＶＩＩＩ−ＶＩＩＩ線に沿った太陽電池パネルの断面図である。
【００８３】
図７及び図８を参照すると、本実施の形態においては、第１接続部（ＣＰ１）で複数の第１部分配線（２２１ａ、２２２ａ）を固定し、及び／または第２接続部（ＣＰ２）で複数の第２部分配線（２２１ｂ、２２２ｂ）を固定する固定部材２８をさらに含むことができる。これにより、複数の第１または第２部分配線（２２１ａ、２２２ａ）（２２１ｂ、２２２ｂ）を安定的に固定する。
【００８４】
一例として、固定部材２８が、第１接続部（ＣＰ１）に位置する複数の第１部分配線（２２１ａ、２２２ａ）が部分を覆いながら形成されることができる。つまり、固定部材２８が、少なくとも複数の第１部分配線（２２１ａ、２２２ａ）を太陽電池１０に固定または付着することができる。
【００８５】
本実施の形態においては、固定部材２８によって、複数の第１または第２部分配線（２２１ａ、２２２ａ）（２２１ｂ、２２２ｂ）の固定安定性が増加し、強度を補強することができる。これにより、反復的な配線材２２の膨張及び収縮によって、複数の第１または第２部分の配線（２２１ａ、２２２ａ）（２２１ｂ、２２２ｂ）が互いに分離されたり損傷されるなどの問題を防止することができる。また、複数の第１または第２部分配線（２２１ａ、２２２ａ）（２２１ｂ、２２２ｂ）を固定部材２８で包み込むことにより固定部材２８が位置した面でシール材４４と、第１及び第２接続部（ＣＰ１、ＣＰ２）が固定部材２８を間に置いて離隔して位置することができる。それでは、シール材４４が、第１及び第２接続部（ＣＰ１、ＣＰ２）での太陽電池１０と、複数の第１または第２部分配線（２２１ａ、２２２ａ）（２２１ｂ、２２２ｂ）の間に浸透しなくて、第１及び第２配線（２２ａ、２２ｂ）の固定安定性をさらに向上することができる。これにより、太陽電池パネル１００の出力の低下及び不良を防止することができ、長期的な信頼性を向上することができる。
【００８６】
ここで、第２方向に見るとき固定部材２８の幅は、第１及び第２接続部（ＣＰ１、ＣＰ２）の幅と同じか、それより大きいことがある。それでは、固定部材２８が接続される第１または第２接続部（ＣＰ１、ＣＰ２）で複数の第１又は第２部分の配線（２２１ａ、２２２ａ）（２２１ｂ、２２２ｂ）の全体に安定的に重畳されるように形成ことができる。このような形状によって固定部材２８による効果を最大化することができる。
【００８７】
このとき、固定部材２８は、第１及び第２配線（２２ａ、２２ｂ）を固定することができる様々な物質を含むことができる。一例として、固定部材２８は、ベース部材２８ａと、ベース部材２８ａの一面に位置し、配線部２０に接続される付着層２８ｂを含む、絶縁性テープで構成されることができる。このように固定部材２８がテープで構成されると、テープを付着する単純な工程によって固定部材２８を所望する位置に固定することができる。
【００８８】
ベース部材２８ａは、固定部材２８の強度を高める役割をすることができる。一例として、ベース部材２８ａは樹脂を主成分とすることができ、例えば、ポリエチレン（ｐｏｌｙｅｔｈｙｌｅｎｅ、ＰＥ）、ポリエチレンテレフタレート（ｐｏｌｙｅｔｈｙｌｅｎｅ  ｔｅｒｅｐｈｔｈａｌａｔｅ、ＰＥＴ）などを含むことができる。
【００８９】
そして、付着層２８ｂは、接着物質または粘着物質を含みから配線材２２に接着または粘着によって固定されることができる。ここで、接着（ａｄｈｅｓｉｏｎ）とは、二つの層が物理的に完璧に付着され、２つの層を分離するとき、少なくとも一つの層が損傷されることを意味することができ、粘着（ｃｏｈｅｓｉｏｎ）とは、常温で一定の物理的力によって二つの層が互いに損傷することなく、互いに付着し、分離されるように固定されたことを意味する。付着層２８ｂが接着物質を含むと、さらに優れた固定特性を有することができる。付着層２８ｂが粘着物質を含むと、固定部材２８が間違って付着した場合、または太陽電池１０の交換、修理の際に用意に固定部材２８を分離することができる。例えば、付着層２８ｂは、エポキシ（ｅｐｏｘｙ）系、アクリル（ａｃｒｙｌ）系またはシリコン（ｓｉｌｉｃｏｎｅ）系の接着物質または粘着物質を含むことができる。そして固定部材２８が絶縁性テープで構成されなく、接着物質または粘着物質を塗布して形成することもできる。
【００９０】
図では、固定部材２８が、第１及び第２接続部（ＣＰ１、ＣＰ２）が位置した第２方向での中央部分に部分的に位置しながら、第１方向に沿って長く続く形状を有し、第１及び第２接続部（ＣＰ１、ＣＰ２）のすべてを覆うことを例示した。これによれば、単純な構造及び工程によって、第１または第２部分配線（２２１ａ、２２２ａ）（２２１ｂ、２２２ｂ）の固定安定性を一緒に向上することができる。しかし、本発明がこれに限定されるものではなく、第１及び第２接続部（ＣＰ１、ＣＰ２）に対応する固定部材２８が別に形成されることもできる。その他の様々な変形が可能である。
【００９１】
図７及び図８においては、第１及び第２接続部（ＣＰ１、ＣＰ２）が、図３に示すように、第１及び第２パッド電極（２２４ａ、２２４ｂ）で構成された場合を例示した。しかし、本発明がこれに限定されるものではない。したがって、図９に示すように、第１及び第２接続部（ＣＰ１、ＣＰ２）が互いに重畳される複数の第１及び第２部分配線（２２１ａ、２２２ａ）（２２１ｂ、２２２ｂ）で構成された場合にも、固定部材２８を適用することができる。
【００９２】
図１０は、本発明のまた他の実施の形態に係る太陽電池パネルに含まれた２つの太陽電池、配線材、絶縁部材及び接続部材を概略的に示した後面平面図である。
【００９３】
図１０を参照すると、本実施の形態において、第１及び第２太陽電池（１０ａ、１０ｂ）から第１及び第２配線（２２ａ、２２ｂ）、第１及び第２電極（１４２、１４４）、そして、第１及び第２接続部（ＣＰ１、ＣＰ２）の接続構造が互いに同一で有り得る。これにより、第１及び第２太陽電池（１０ａ、１０ｂ）で第１配線２２ａは、第１電極１４２に電気的に接続され、第２電極１４４と絶縁され、第２配線２２ｂは、第２電極１４４に電気的に第１電極１４２に絶縁することができる。
【００９４】
そして、第１太陽電池１０ａと第２太陽電池１０ｂの間には、配線材２２と交差する方向（第１方向）に位置して配線材２２に接続される接続配線２４を含むことができる。配線材２２と接続配線２４によって、複数の太陽電池１０が第２方向（図のｘ軸方向）に接続されて一つの列（列）（つまり、太陽電池ストリング）を形成することができる。
【００９５】
さらに具体的に、第１太陽電池１０ａの第１電極１４２に接続された第１配線２２ａと第２太陽電池１０ｂの第２電極１４４に接続された第２配線２２ｂは、この交差する第１方向に長く延長される接続配線２４に重畳と接続される。これにより、第１太陽電池１０ａと第２太陽電池１０ｂが第２方向に直列に接続することができる。図では、第１及び第２配線（２２ａ、２２ｂ）と接続配線２４が互いに別に形成されて互いに電気的に接続されたことを例示した。このとき、第１及び第２配線（２２ａ、２２ｂ）と接続配線２４は、導電性物質層（図示せず）によって互いに接続することができる。導電性物質層は、接続部材３２と同一の物質であることもあり、互いに異なる物質で有り得る。そして接続配線２４は、配線材２２及び／またはバスバー配線（図１の参照符号２６）と同一の物質または構造を有することもあり、これと他の物質または構造を有することもできる。
【００９６】
これによれば、各太陽電池１０において配線（２２ａ、２２ｂ）が同じ配置を有するので、配線（２２ａ、２２ｂ）を備える太陽電池１０をそれぞれ個別に製造した後、接続配線２４にこれらを接続することにより、容易に太陽電池ストリングを製造することができる。また、複数の第１部分配線（２２１ａ、２２２ａ）及び複数の第２部分配線（２２１ｂ、２２２ｂ）（すなわち、第１及び第２内部配線（２２１ａ、２２１ｂ）及び、第１及び第２延長配線（２２２ａ、２２２ｂ）のすべて第２方向で、各太陽電池１０の長さより小さい長さを有するので配線材２２の各部分の長さを最小化することができる。
【００９７】
前述したところに従った特徴、構造、効果などは、本発明の少なくとも一つの実施の形態に含まれ、必ずしも一つの実施の形態のみに限定されるものではない。さらに、各実施の形態において例示された特徴、構造、効果などは、実施の形態が属する分野の通常の知識を有する者によって他の実施の形態に対しても組み合わせ、または変形して実施可能である。したがって、このような組み合わせと変形に係る内容は、本発明の範囲に含まれるものと解釈されるべきである。
【図１】
2019036733.tif 000003
【図２】
2019036733.tif 000004
【図３】
2019036733.tif 000005
【図４】
2019036733.tif 000006
【図５】
2019036733.tif 000007
【図６】
2019036733.tif 000008
【図７】
2019036733.tif 000009
【図８】
2019036733.tif 000010
【図９】
2019036733.tif 000011
【図１０】
2019036733.tif 000012